【手続補正書】
【提出日】平成16年11月18日(2004.11.18)
【手続補正１】
【補正対象書類名】明細書
【補正対象項目名】特許請求の範囲
【補正方法】変更
【補正の内容】
【特許請求の範囲】
【請求項１】
種類の異なる少なくとも２つの記憶手段と各記憶手段を個別に装着するための少なくとも第１および第２のスロットを有する情報処理装置とを備える情報処理システムであって、前記記憶手段は、少なくとも前記第１のスロットに挿入して使用され、プログラムデータ，画像データおよび／または音声データを含むデータをディジタル的に記憶する第１の記憶手段と、前記第１の記憶手段とはデータの記憶方法が異なり、前記第２のスロットに挿入して使用され、プログラムデータ，画像データおよび／または音声データを含むデータをディジタル的に記憶する第２の記憶手段とを含み、前記第１の記憶手段は、第１の応答信号を発生する第１の応答手段を含み、前記第２の記憶手段は、第２の応答信号を発生する第２の応答手段を含み、前記第１の応答信号は第１の優先情報を含み、前記第２の応答信号は第２の優先情報を含み、前記情報処理装置は、前記第１の記憶手段が前記第１のスロットに装着されているか否か、および前記第２の記憶手段が前記第２のスロットに装着されているか否かを検出する検出手段と、処理手段とを含み、前記処理手段は、前記検出手段によって、前記第１または第２の記憶手段が前記第１または第２のスロットに挿入されていることが検出されたとき、第１または第２のスロットに挿入されている第１または第２の記憶手段に記憶されているプログラムデータに基づいて所定の情報処理を行い、前記検出手段によって、前記第１および第２の記憶手段が前記第１および第２のスロットに挿入されていることが検出されたとき、前記第１の優先情報と前記第２の優先情報のうちの優先順位が高い方の第１の記憶手段又は第２の記憶手段に記憶されているプログラムデータに基づいて情報処理を開始することを特徴とする、情報処理システム。
【請求項２】
前記第１の応答信号は、相対的に優先順位が高いことを示す第１の優先情報を含み、前記第２の応答信号は、相対的に優先順位が低いことを示す第２の優先情報を含み、前記検出手段は、前記第１および第２の優先情報に基づいて、前記第１の応答手段の方が前記第２の応答手段よりも優先順位が高いことを検出し、それによって前記第１の記憶手段を優先的に能動化することを特徴とする、請求項１に記載の情報処理システム。
【請求項３】
前記第１の記憶手段は、アクセス時間が相対的に高速である半導体記憶素子を含み、前記第２の記憶手段は、アクセス時間が相対的に低速であるディスク状記憶媒体およびディスクドライブを含み、前記処理手段は、前記検出手段によって、前記第１および第２の記憶手段が前記第１および第２のスロットに挿入されていることが検出されたとき、高速に動作する第１の記憶手段のデータに基づいて処理を開始することを特徴とする、請求項１に記載の情報処理システム。
【請求項４】
前記第２の記憶手段には、複数枚のディスク状記憶媒体が交互に差し替えて使用され、各ディスク状記録媒体は、それぞれが使用順位を示す順位データを記憶した使用順位データ記憶領域を有しており、前記処理手段は、各ディスク状記憶媒体に記憶されている順位データに基づいて、次に使用すべきディスク状記録媒体が適切な使用順位を有しているか否かを判定し、適切な使用順位を有している場合にのみディスク状記憶媒体に記憶されているデータに基づく情報処理を行うことを特徴とする、請求項３に記載の情報処理システム。
【請求項５】
前記半導体記憶素子は、第１のセキュリティーデータが格納された第１のセキュリティーデータ記憶領域を有し、前記ディスク状記憶媒体は、第２のセキュリティーデータが格納された第２のセキュリティーデータ記憶領域を有し、前記ディスクドライブは、第３のセキュリティーデータを記憶した第３の記憶手段を含み、前記処理手段は、前記検出手段によって、前記第１および第２の記憶手段が前記第１および第２のスロットに挿入されていることが検出されたとき、前記第１〜第３のセキュリティーデータを相互に比較し、これら第１〜第３のセキュリティーデータが所定の関係を有しているとき、前記ディスク状記憶媒体に記憶されたデータを処理可能となることを特徴とする、請求項３に記載の情報処理システム。
【請求項６】
前記処理手段は、前記第１の記憶手段に記憶されたデータに基づき情報処理を開始し、必要に応じて前記第２の記憶手段に記憶されたデータに基づき情報処理を行うことを特徴とする、請求項１に記載の情報処理システム。
【請求項７】
第１の記憶媒体と、第２の記憶媒体と、当該第１および／または第２の記憶媒体に記憶されているデータに基づいて動作する情報処理装置とを備える情報処理システムであって、前記第１の記憶媒体は、情報処理のためのプログラムを記憶したプログラム記憶領域と、第１の記憶媒体のための第１のＩＤデータを記憶した第１のＩＤデータ記憶領域と、任意のデータを記憶可能な第１の任意データ記憶領域とを含み、前記第２の記憶媒体は、情報処理のための所定のデータを記憶したデータ記憶領域と、第２の記憶媒体のための第２のＩＤデータを記憶した第２のＩＤデータ記憶領域と、任意のデータを記憶可能な第２の任意データ記憶領域とを含み、前記情報処理装置は、第２の記憶媒体に記憶されているデータを最初に使用する前に、第１の記憶媒体に記憶されている第１のＩＤデータを第２の記憶媒体の第２の任意データ記憶領域に書き込み、第２の記憶媒体に記憶されている第２のＩＤデータを第１の記憶媒体の第１の任意データ記憶領域に書き込み、第１の記憶媒体に記憶されているプログラムおよび第２の記憶媒体に記憶されている所定のデータに従って情報処理を実行した後、再び、第２の記憶媒体に記憶されているデータを使用するときは、その前に、第１の記憶媒体の第１の任意データ記憶領域に第２のＩＤデータが記憶されているか否かおよび第２の記憶媒体の第２の任意データ記憶領域に第１のＩＤデータが記憶されているか否かを検出し、第１の記憶媒体の第１の任意のデータ記憶領域に第２のＩＤデータが記憶されていることおよび第２の記憶媒体の第２の任意のデータ記憶領域に第１のＩＤデータが記憶されていることを検出したときに、第２の記憶媒体のデータ記憶領域に記憶されているデータを処理可能とする、情報処理システム。
【請求項８】
第１の記憶媒体と、第２の記憶媒体と、当該第１および／または第２の記憶媒体に記憶されているデータに基づいて動作する情報処理装置とを備える情報処理システムであって、前記第１の記憶媒体は、情報処理のためのプログラムを記憶したプログラム記憶領域と、第１の記憶媒体のためのＩＤデータを記憶したＩＤデータ記憶領域とを含み、前記第２の記憶媒体は、情報処理のための所定のデータを記憶したデータ記憶領域と、任意のデータを記憶可能な任意データ記憶領域とを含み、前記情報処理装置は、第２の記憶媒体に記憶されているデータを最初に使用する前に、第１の記憶媒体に記憶されているＩＤデータを第２の記憶媒体の任意データ記憶領域に書き込み、第１の記憶媒体に記憶されているプログラムおよび第２の記憶媒体に記憶されている所定のデータに従って情報処理を実行した後、再び、第２の記憶媒体に記憶されているデータを使用するときは、その前に、第２の記憶媒体の任意データ記憶領域に第１の記憶媒体のためのＩＤデータが記憶されているか否かを検出し、第２の記憶媒体の任意のデータ記憶領域に第１の記憶媒体のためのＩＤデータが記憶されていることを検出したときに、第２の記憶媒体のデータ記憶領域に記憶されているデータを処理可能とする、情報処理システム。
【請求項９】
第１の記憶媒体と、第２の記憶媒体と、当該第１および／または第２の記憶媒体に記憶されているデータに基づいて動作する情報処理装置とを備える情報処理システムであって、前記第１の記憶媒体は、情報処理のためのプログラムを記憶したプログラム記憶領域と、任意のデータを記憶可能な任意データ記憶領域とを含み、前記第２の記憶媒体は、情報処理のための所定のデータを記憶したデータ記憶領域と、第２の記憶媒体のためのＩＤデータを記憶したＩＤデータ記憶領域とを含み、前記情報処理装置は、第２の記憶媒体に記憶されているデータを最初に使用する前に、第２の記憶媒体に記憶されているＩＤデータを第１の記憶媒体の任意データ記憶領域に書き込み、第１の記憶媒体に記憶されているプログラムおよび第２の記憶媒体に記憶されている所定のデータに従って情報処理を実行した後、再び、第２の記憶媒体に記憶されているデータを使用するときは、その前に、第１の記憶媒体の任意データ記憶領域に第２の記憶媒体に記憶されているＩＤデータが記憶されているか否かを検出し、第１の記憶媒体の任意のデータ記憶領域に第２の記憶媒体に記憶されているＩＤデータが記憶されていることを検出したときに、第２の記憶媒体のデータ記憶領域に記憶されているデータを処理可能とする、情報処理システム。
【請求項１０】
前記第１および第２の記憶媒体は、ディスク状記憶媒体であることを特徴とする、請求項７〜請求項９に記載の情報処理システム。
【請求項１１】
前記第１の記憶媒体は半導体メモリであり、かつ前記第２の記憶媒体はディスク状記憶媒体であることを特徴とする、請求項７〜請求項９に記載の情報処理システム。
【請求項１２】
情報処理のためのプログラムを記憶したプログラム記憶領域，第１のＩＤデータを記憶した第１のＩＤデータ記憶領域および任意のデータを記憶可能な第１の任意データ記憶領域を含む第１の記憶媒体と、情報処理のための所定のデータを記憶したデータ記憶領域，第２のＩＤデータを記憶した第２のＩＤデータ記憶領域および任意のデータを記憶可能な第２の任意データ記憶領域を含む第２の記憶媒体と、当該第１および／または第２の記憶媒体に記憶されているデータに基づいて動作する情報処理装置とを備える情報処理システムに用いられる真偽判別方法であって、第２の記憶媒体に記憶されているデータを最初に使用する前に、前記第１の記憶媒体に記憶されている第１のＩＤデータを第２の記憶媒体の第２の任意データ記憶領域に書き込み、および／または第２の記憶媒体に記憶されている第２のＩＤデータを第１の記憶媒体の第１の任意データ記憶領域に書き込み、第１の記憶媒体に記憶されているプログラムおよび第２の記憶媒体に記憶されている所定のデータに従って情報処理を実行した後、再び、第２の記憶媒体に記憶されているデータを使用するときは、その前に、第１の記憶媒体の第１の任意のデータ記憶領域に第２のＩＤデータが記憶されているか否かおよび／または第２の記憶媒体の第２の任意のデータ記憶領域に第１のＩＤデータが記憶されているか否かを検出し、第１の記憶媒体の第１の任意のデータ記憶領域に第２のＩＤデータが記憶されていることおよび／または第２の記憶媒体の第２の任意のデータ記憶領域に第１のＩＤデータが記憶されていることを検出したときにのみ、第２の記憶媒体のデータ記憶領域に記憶されているデータを処理可能とする、真偽判別方法。
【請求項１３】
データが記憶された半導体メモリを含むカートリッジを挿入するためのスロットとデータが記憶されたディスク状記憶媒体を挿入するためのスロットとが存在するゲーム機システムであって、カートリッジのみが挿入されている場合には、カートリッジ内に記憶されているゲームプログラムを自動的に起動し、カートリッジとディスク状記憶媒体の両方が挿入されている場合には、カートリッジ内に記憶されているゲームプログラムを自動的に起動し、ディスク状記憶媒体のみが挿入されている場合には、ディスク状記憶媒体に記憶されているゲームプログラムを自動的に起動し、カートリッジ内に記憶されているゲームプログラムを起動した場合には、カートリッジおよびディスク状記憶媒体の両方に記憶されているデータを処理可能な、ゲーム機システム。
【請求項１４】
複数のディスク状記憶媒体の属性を自動認識するために、各ディスク状記憶媒体に対して共通のＩＤ情報領域を設け、かつ当該ＩＤ情報領域に認識に必要な情報を記録することによりＩＤ情報領域を共通化し、全てのディスク状記憶媒体に対して同一の処理を実行することでディスク状記憶媒体の管理が行えるようにした、ゲーム機システム。
【請求項１５】
前記ＩＤ情報領域には、１つの組を構成する複数枚のディスク状記憶媒体の内、何枚目のディスク状記録媒体であるかを認識するための情報が記録されている、請求項１４に記載のゲーム機システム。
【請求項１６】
ある組を構成する複数枚のディスク状記憶媒体のそれぞれに固有のＩＤ情報を書き込むことによって、当該ある組に属するディスク状記憶媒体と他の組に属するディスク状記憶媒体とを識別することを特徴とする、請求項１４に記載のゲーム機システム。
【手続補正２】
【補正対象書類名】明細書
【補正対象項目名】０００５
【補正方法】変更
【補正の内容】
【０００５】 
【課題を解決するための手段および発明の効果】第１の発明は、種類の異なる少なくとも２つの記憶手段と各記憶手段を個別に装着するための少なくとも第１および第２のスロットを有する情報処理装置とを備える情報処理システムであって、記憶手段は、少なくとも第１のスロットに挿入して使用され、プログラムデータ，画像データおよび／または音声データを含むデータをディジタル的に記憶する第１の記憶手段と、第１の記憶手段とはデータの記憶方法が異なり、第２のスロットに挿入して使用され、プログラムデータ，画像データおよび／または音声データを含むデータをディジタル的に記憶する第２の記憶手段とを含み、第１の記憶手段は、第１の応答信号を発生する第１の応答手段を含み、第２の記憶手段は、第２の応答信号を発生する第２の応答手段を含み、第１の応答信号は第１の優先情報を含み、第２の応答信号は第２の優先情報を含み、情報処理装置は、第１の記憶手段が第１のスロットに装着されているか否か、および第２の記憶手段が第２のスロットに装着されているか否かを検出する検出手段と、処理手段とを含み、処理手段は、検出手段によって、第１または第２の記憶手段が第１または第２のスロットに挿入されていることが検出されたとき、第１または第２のスロットに挿入されている第１または第２の記憶手段に記憶されているプログラムデータに基づいて所定の情報処理を行い、検出手段によって、第１および第２の記憶手段が第１および第２のスロットに挿入されていることが検出されたとき、第１の優先情報と第２の優先情報のうちの優先順位が高い方の第１の記憶手段又は第２の記憶手段に記憶されているプログラムデータに基づいて情報処理を開始することを特徴とする。
【手続補正３】
【補正対象書類名】明細書
【補正対象項目名】０００７
【補正方法】変更
【補正の内容】
【０００７】
また、第１の発明によれば、単にスロットに何かが装着されているのを検出するのではなく、応答信号を検出するため、より確実に記憶手段の有無を確認することが可能である。
【手続補正４】
【補正対象書類名】明細書
【補正対象項目名】０００８
【補正方法】変更
【補正の内容】
【０００８】
また、第１の発明によれば、優先順位を記憶媒体毎に情報として持つため、自由で多様なソフト制作が実現できる。
【手続補正５】
【補正対象書類名】明細書
【補正対象項目名】０００９
【補正方法】変更
【補正の内容】
【０００９】
第２の発明は、第１の発明において、第１の応答信号は、相対的に優先順位が高いことを示す第１の優先情報を含み、第２の応答信号は、相対的に優先順位が低いことを示す第２の優先情報を含み、検出手段は、第１および第２の優先情報に基づいて、第１の応答手段の方が第２の応答手段よりも優先順位が高いことを検出し、それによって第１の記憶手段を優先的に能動化することを特徴とする。
【手続補正６】
【補正対象書類名】明細書
【補正対象項目名】００１０
【補正方法】変更
【補正の内容】
【００１０】
上記のように、第２の発明によれば、優先して起動したい記憶媒体に対して固定的に高い優先順位を設定することができる。 
【手続補正７】
【補正対象書類名】明細書
【補正対象項目名】００１１
【補正方法】変更
【補正の内容】
【００１１】
第３の発明は、第１の発明において、第１の記憶手段は、アクセス時間が相対的に高速である半導体記憶素子を含み、第２の記憶手段は、アクセス時間が相対的に低速であるディスク状記憶媒体およびディスクドライブを含み、処理手段は、検出手段によって、第１および第２の記憶手段が第１および第２のスロットに挿入されていることが検出されたとき、高速に動作する第１の記憶手段のデータに基づいて処理を開始することを特徴とする。
【手続補正８】
【補正対象書類名】明細書
【補正対象項目名】００１２
【補正方法】変更
【補正の内容】
【００１２】
上記のように、第３の発明によれば、第１および第２の記憶手段の接続状況を判断し、高速記憶デバイスを有する第１の記憶手段を優先することで起動時の統一性、省力化、高速化を実現できる。
【手続補正９】
【補正対象書類名】明細書
【補正対象項目名】００１３
【補正方法】変更
【補正の内容】
【００１３】
第４の発明は、第３の発明において、第２の記憶手段には、複数枚のディスク状記憶媒体が交互に差し替えて使用され、各ディスク状記録媒体は、それぞれが使用順位を示す順位データを記憶した使用順位データ記憶領域を有しており、処理手段は、各ディスク状記憶媒体に記憶されている順位データに基づいて、次に使用すべきディスク状記録媒体が適切な使用順位を有しているか否かを判定し、適切な使用順位を有している場合にのみディスク状記憶媒体に記憶されているデータに基づく情報処理を行うことを特徴とする。
【手続補正１０】
【補正対象書類名】明細書
【補正対象項目名】００１４
【補正方法】変更
【補正の内容】
【００１４】
上記のように、第４の発明によれば、それぞれのディスク状記憶媒体に使用順位が設定されているため、順番を間違えてディスクを動作させたり、間違ったデータが書き込まれるのを防止することが可能である。
【手続補正１１】
【補正対象書類名】明細書
【補正対象項目名】００１５
【補正方法】変更
【補正の内容】
【００１５】
第５の発明は、第３の発明において、半導体記憶素子は、第１のセキュリティーデータが格納された第１のセキュリティーデータ記憶領域を有し、ディスク状記憶媒体は、第２のセキュリティーデータが格納された第２のセキュリティーデータ記憶領域を有し、ディスクドライブは、第３のセキュリティーデータを記憶した第３の記憶手段を含み、処理手段は、検出手段によって、第１および第２の記憶手段が第１および第２のスロットに挿入されていることが検出されたとき、第１〜第３のセキュリティーデータを相互に比較し、これら第１〜第３のセキュリティーデータが所定の関係を有しているとき、ディスク状記憶媒体に記憶されたデータを処理可能となることを特徴とする。
【手続補正１２】
【補正対象書類名】明細書
【補正対象項目名】００１６
【補正方法】変更
【補正の内容】
【００１６】
上記のように、第５の発明によれば、各動作時において動作対象のデバイスに対して正規のものか否か認識を行うようにしているので、十分なセキュリティを実現することが可能である。
【手続補正１３】
【補正対象書類名】明細書
【補正対象項目名】００１７
【補正方法】変更
【補正の内容】
【００１７】
第６の発明は、第１の発明において、処理手段は、第１の記憶手段に記憶されたデータに基づき情報処理を開始し、必要に応じて第２の記憶手段に記憶されたデータに基づき情報処理を行うことを特徴とする。
【手続補正１４】
【補正対象書類名】明細書
【補正対象項目名】００１８
【補正方法】変更
【補正の内容】
【００１８】
上記のように、第６の発明によれば、第１の記憶手段と第２の記憶手段に記憶されているデータを交互に自由に処理できるため、自由で多様なソフト制作が実現できる。
【手続補正１５】
【補正対象書類名】明細書
【補正対象項目名】００１９
【補正方法】変更
【補正の内容】
【００１９】
第７の発明は、第１の記憶媒体と、第２の記憶媒体と、当該第１および／または第２の記憶媒体に記憶されているデータに基づいて動作する情報処理装置とを備える情報処理システムであって、第１の記憶媒体は、情報処理のためのプログラムを記憶したプログラム記憶領域と、第１の記憶媒体のための第１のＩＤデータを記憶した第１のＩＤデータ記憶領域と、任意のデータを記憶可能な第１の任意データ記憶領域とを含み、第２の記憶媒体は、情報処理のための所定のデータを記憶したデータ記憶領域と、第２の記憶媒体のための第２のＩＤデータを記憶した第２のＩＤデータ記憶領域と、任意のデータを記憶可能な第２の任意データ記憶領域とを含み、情報処理装置は、第２の記憶媒体に記憶されているデータを最初に使用する前に、第１の記憶媒体に記憶されている第１のＩＤデータを第２の記憶媒体の第２の任意データ記憶領域に書き込み、第２の記憶媒体に記憶されている第２のＩＤデータを第１の記憶媒体の第１の任意データ記憶領域に書き込み、第１の記憶媒体に記憶されているプログラムおよび第２の記憶媒体に記憶されている所定のデータに従って情報処理を実行した後、再び、第２の記憶媒体に記憶されているデータを使用するときは、その前に、第１の記憶媒体の第１の任意データ記憶領域に第２のＩＤデータが記憶されているか否かおよび第２の記憶媒体の第２の任意データ記憶領域に第１のＩＤデータが記憶されているか否かを検出し、第１の記憶媒体の第１の任意のデータ記憶領域に第２のＩＤデータが記憶されていることおよび第２の記憶媒体の第２の任意のデータ記憶領域に第１のＩＤデータが記憶されていることを検出したときに、第２の記憶媒体のデータ記憶領域に記憶されているデータを処理可能とする。第８の発明は、第１の記憶媒体と、第２の記憶媒体と、当該第１および／または第２の記憶媒体に記憶されているデータに基づいて動作する情報処理装置とを備える情報処理システムであって、第１の記憶媒体は、情報処理のためのプログラムを記憶したプログラム記憶領域と、第１の記憶媒体のためのＩＤデータを記憶したＩＤデータ記憶領域とを含み、第２の記憶媒体は、情報処理のための所定のデータを記憶したデータ記憶領域と、任意のデータを記憶可能な任意データ記憶領域とを含み、情報処理装置は、第２の記憶媒体に記憶されているデータを最初に使用する前に、第１の記憶媒体に記憶されているＩＤデータを第２の記憶媒体の任意データ記憶領域に書き込み、第１の記憶媒体に記憶されているプログラムおよび第２の記憶媒体に記憶されている所定のデータに従って情報処理を実行した後、再び、第２の記憶媒体に記憶されているデータを使用するときは、その前に、第２の記憶媒体の任意データ記憶領域に第１の記憶媒体のためのＩＤデータが記憶されているか否かを検出し、第２の記憶媒体の任意のデータ記憶領域に第１の記憶媒体のためのＩＤデータが記憶されていることを検出したときに、第２の記憶媒体のデータ記憶領域に記憶されているデータを処理可能とする。第９の発明は、第１の記憶媒体と、第２の記憶媒体と、当該第１および／または第２の記憶媒体に記憶されているデータに基づいて動作する情報処理装置とを備える情報処理システムであって、第１の記憶媒体は、情報処理のためのプログラムを記憶したプログラム記憶領域と、任意のデータを記憶可能な任意データ記憶領域とを含み、第２の記憶媒体は、情報処理のための所定のデータを記憶したデータ記憶領域と、第２の記憶媒体のためのＩＤデータを記憶したＩＤデータ記憶領域とを含み、情報処理装置は、第２の記憶媒体に記憶されているデータを最初に使用する前に、第２の記憶媒体に記憶されているＩＤデータを第１の記憶媒体の任意データ記憶領域に書き込み、第１の記憶媒体に記憶されているプログラムおよび第２の記憶媒体に記憶されている所定のデータに従って情報処理を実行した後、再び、第２の記憶媒体に記憶されているデータを使用するときは、その前に、第１の記憶媒体の任意データ記憶領域に第２の記憶媒体のためのＩＤデータが記憶されているか否かを検出し、第１の記憶媒体の任意のデータ記憶領域に第２の記憶媒体のためのＩＤデータが記憶されていることを検出したときに、第２の記憶媒体のデータ記憶領域に記憶されているデータを処理可能とする。
【手続補正１６】
【補正対象書類名】明細書
【補正対象項目名】００２０
【補正方法】変更
【補正の内容】
【００２０】
上記のように、第７の発明によれば、共通のＩＤ情報領域を使用することで使用時の操作の統一性を実現し、かつセキュリティーを実現できる。
また、第８の発明によれば、第１の記憶媒体のＩＤデータと第２の記憶媒体の任意データ記憶領域を利用して、セキュリティーを実現できる。また、第９の発明によれば、第２の記憶媒体のＩＤデータと第１の記憶媒体の任意データ記憶領域を利用して、セキュリティーを実現できる。
【手続補正１７】
【補正対象書類名】明細書
【補正対象項目名】００２１
【補正方法】変更
【補正の内容】
【００２１】
第１０の発明は、第７〜第９の発明において、第１および第２の記憶媒体は、ディスク状記憶媒体であることを特徴とする。
【手続補正１８】
【補正対象書類名】明細書
【補正対象項目名】００２２
【補正方法】変更
【補正の内容】
【００２２】
上記のように、第１０の発明によれば、セキュリティーが困難であるディスクであっても有効なセキュリティーを実現できる。
【手続補正１９】
【補正対象書類名】明細書
【補正対象項目名】００２３
【補正方法】変更
【補正の内容】
【００２３】
第１１の発明は、第７〜第９の発明において、第１の記憶媒体は半導体メモリであり、かつ第２の記憶媒体はディスク状記憶媒体であることを特徴とする。上記のように、第１１の発明によれば、異なる記憶媒体の組み合わせであっても有効なセキュリティーを実現できる。
【手続補正２０】
【補正対象書類名】明細書
【補正対象項目名】００２４
【補正方法】変更
【補正の内容】
【００２４】
第１２の発明は、情報処理のためのプログラムを記憶したプログラム記憶領域，第１のＩＤデータを記憶した第１のＩＤデータ記憶領域および任意のデータを記憶可能な第１の任意データ記憶領域を含む第１の記憶媒体と、情報処理のための所定のデータを記憶したデータ記憶領域，第２のＩＤデータを記憶した第２のＩＤデータ記憶領域および任意のデータを記憶可能な第２の任意データ記憶領域を含む第２の記憶媒体と、当該第１および／または第２の記憶媒体に記憶されているデータに基づいて動作する情報処理装置とを備える情報処理システムに用いられる真偽判別方法であって、第２の記憶媒体に記憶されているデータを最初に使用する前に、第１の記憶媒体に記憶されている第１のＩＤデータを第２の記憶媒体の第２の任意データ記憶領域に書き込み、および／または第２の記憶媒体に記憶されている第２のＩＤデータを第１の記憶媒体の第１の任意データ記憶領域に書き込み、第１の記憶媒体に記憶されているプログラムおよび第２の記憶媒体に記憶されている所定のデータに従って情報処理を実行した後、再び、第２の記憶媒体に記憶されているデータを使用するときは、その前に、第１の記憶媒体の第１の任意のデータ記憶領域に第２のＩＤデータが記憶されているか否かおよび／または第２の記憶媒体の第２の任意のデータ記憶領域に第１のＩＤデータが記憶されているか否かを検出し、第１の記憶媒体の第１の任意のデータ記憶領域に第２のＩＤデータが記憶されていることおよび／または第２の記憶媒体の第２の任意のデータ記憶領域に第１のＩＤデータが記憶されていることを検出したときにのみ、第２の記憶媒体のデータ記憶領域に記憶されているデータを処理可能とする。
【手続補正２１】
【補正対象書類名】明細書
【補正対象項目名】００２５
【補正方法】変更
【補正の内容】
【００２５】
上記のように、第１２の発明によれば、共通のＩＤ情報領域を使用することで使用時の操作の統一性を実現し、かつセキュリティーを実現できる。
【手続補正２２】
【補正対象書類名】明細書
【補正対象項目名】００２６
【補正方法】変更
【補正の内容】
【００２６】
第１３の発明は、データが記憶された半導体メモリを含むカートリッジを挿入するためのスロットとデータが記憶されたディスク状記憶媒体を挿入するためのスロットとが存在するゲーム機システムであって、カートリッジのみが挿入されている場合には、カートリッジ内に記憶されているゲームプログラムを自動的に起動し、カートリッジとディスク状記憶媒体の両方が挿入されている場合には、カートリッジ内に記憶されているゲームプログラムを自動的に起動し、ディスク状記憶媒体のみが挿入されている場合には、ディスク状記憶媒体に記憶されているゲームプログラムを自動的に起動し、カートリッジ内に記憶されているゲームプログラムを起動した場合には、カートリッジおよびディスク状記憶媒体の両方に記憶されているデータを処理可能である。
【手続補正２３】
【補正対象書類名】明細書
【補正対象項目名】００２７
【補正方法】変更
【補正の内容】
【００２７】
上記のように、第１３の発明によれば、カートリッジとディスクの接続状況を判断し、カートリッジを優先することで、起動時の統一性、省力化、高速化を実現でき、多様なゲームを実現可能である。
【手続補正２４】
【補正対象書類名】明細書
【補正対象項目名】００２８
【補正方法】変更
【補正の内容】
【００２８】
第１４の発明は、複数のディスク状記憶媒体の属性を自動認識するために、各ディスク状記憶媒体に対して共通のＩＤ情報領域を設け、かつ当該ＩＤ情報領域に認識に必要な情報を記録することによりＩＤ情報領域を共通化し、全てのディスク状記憶媒体に対して同一の処理を実行することでディスク状記憶媒体の管理が行えるようにしたゲーム機システムである。
【手続補正２５】
【補正対象書類名】明細書
【補正対象項目名】００２９
【補正方法】変更
【補正の内容】
【００２９】
上記のように、第１４の発明によれば、共通のＩＤ情報領域を使用することで使用時の操作の統一性を実現し、かつセキュリティーを実現できる。
【手続補正２６】
【補正対象書類名】明細書
【補正対象項目名】００３０
【補正方法】変更
【補正の内容】
【００３０】
第１５の発明は、第１４の発明において、ＩＤ情報領域には、１つの組を構成する複数枚のディスク状記憶媒体の内、何枚目のディスク状記録媒体であるかを認識するための情報が記録されていることを特徴とする。
【手続補正２７】
【補正対象書類名】明細書
【補正対象項目名】００３１
【補正方法】変更
【補正の内容】
【００３１】
上記のように、第１５の発明によれば、それぞれのディスクに順位が設定されているため、順番を間違えてディスクを動作させたり、間違ったデータが書き込まれるのを防止することが可能である。
【手続補正２８】
【補正対象書類名】明細書
【補正対象項目名】００３２
【補正方法】変更
【補正の内容】
【００３２】
第１６の発明は、第１４の発明において、ある組を構成する複数枚のディスク状記憶媒体のそれぞれに固有のＩＤ情報を書き込むことによって、当該ある組に属するディスク状記憶媒体と他の組に属するディスク状記憶媒体とを識別することを特徴とする。
【手続補正２９】
【補正対象書類名】明細書
【補正対象項目名】００３３
【補正方法】変更
【補正の内容】
【００３３】
上記のように、第１６の発明によれば、共通のＩＤ情報領域を使用することで使用時の操作の統一性を実現し、かつセキュリティーを実現できる。また、セキュリティーが困難であるディスクであっても有効なセキュリティーを実現できる。